(57)【特許請求の範囲】
【請求項１】
光源からの照明光を入射する入光部が基端に設けられた指針軸、前記入光部から入射した照明光を偏向する反射面が設けられた、前記指針軸の回動軸方向略直上に配置された基部、及び、前記反射面で偏向された照明光が進行する方向に前記基部から延設された本体部を有する、透明材料で形成された指針と、
前記指針の前記基部外面に被せられるキャップと、
を備えた指針の照明構造であって、
前記本体部は、外面のうちの裏面側及び側面側に、遮光部を有し、外面のうちの表面側に、前記入光部から入射して伝搬してきた照明光が該表面側から出射する発光部を有し、
前記指針軸は、前記入光部を除く外面に、前記本体部と同一の遮光部を有する、
ことを特徴とする指針の照明構造。
【請求項２】
前記本体部の遮光部は、外面のうちの裏面側及び側面側の表面全面を覆うように設けられたメッキによって構成され、
前記指針軸の遮光部は、前記入光部を除く外面を覆うように設けられたメッキによって構成された、
ことを特徴とする請求項１に記載の指針の照明構造。
【請求項３】
前記本体部は、外面のうちの裏面側に、凹凸形状の光散乱面を有している、
ことを特徴とする請求項１又は２に記載の指針の照明構造。
【発明の詳細な説明】
【技術分野】
【０００１】
本発明は、車両、船舶、航空機等の各種乗り物に搭載されるメータ装置に用いる指針に係り、特に発光照明を実現する指針の照明構造に関するものである。
【背景技術】
【０００２】
従来、例えば車両等に搭載されるこの種のメータ装置にあっては、一般に、文字、数字、及び目盛り等が設けられた文字板を裏面側から光源などで照明したり、文字板の文字や数字などを指し示す指針自身自体を照明しているのが一般的である。
【０００３】
即ち、後者のようなメータ装置としては、自発光タイプのものが各種開発されている。その一つとして、指針の発光効率を高めるようにしたものが知られている（例えば、特許文献１参照）。
【０００４】
このメータ装置１００は、図８に示すように、モータケース１０１と、モータケース１０１の本体に設けた突出部１０１Ａを介して案内される指針１０２と、指針１０２の基部に一体に設けた指針軸１０３と、この指針軸１０３の下端部１０３Ａから離れて中空シャフト１０４の直下に配置される光源１０５と、この光源１０５が実装されるプリント基板１０６と、を有する。
【０００５】
このメータ装置１００では、指針１０２と一体の指針軸１０３が、ＬＥＤからなる光源１０５が発する照明光を効率よく集めるため、凸状に形成された集光面を下端部１０３Ａに有する。また、指針軸１０３は、円柱形状でありその下端部１０３Ａは半球形または凸状をなす。そのような特定形状の指針１０２によれば、ＬＥＤからなる光源１０５からの照明光を、指針軸１０３に入射後、その軸と平行に進行させることができる。なお、このメータ装置では、図示しない複数の専用光源を図示外の文字板の下方に配置することで文字板照明を行う。
【０００６】
また、このメータ装置１００の指針１０２では、光源１０５から指針軸１０３を案内されてくる照明光を効果的に先端部まで送り込んで照明させる。このため、指針１０２には、これと一体に設けた指針軸１０３を案内されてくる照明光を、反射させほぼ直角方向に偏向させるために反射面１０２Ｂが形成されている。さらに、指針１０２には、指針１０２まで案内されてきた照明光の一部が、基部から上方にそのまま直進して外部へ漏れ出し視認者の目に眩しく入り込む、といったトラブルを回避させるため、遮光用のキャップ１０７を被せる。
【０００７】
ところで、車両用などのメータ装置では、上記のような自発光タイプの指針を備えた構成のものが一般的である。ところが、このような指針にあっては、上記のような単純な自発光タイプの照明ではなく、これまでにはない斬新感を付与することで他のものとの差別化、高級化などを実現できるようにした、指針の照明構造の開発が望まれている。
【０００８】
そこで、例えば特許文献２に記載のような指針も提案されている。即ち、図９に示すように、この指針２００には、指針本体２０１の側面及び下面に金属メッキ皮膜２０２が形成されているとともに、指針本体２０１の上面に断面略Ｖ字形の金属メッキ皮膜２０３が形成されている。
【先行技術文献】
【特許文献】
【０００９】
【特許文献１】特表２００９−５３７８４４号公報
【特許文献２】特開平９−９６６８０号公報
【発明の概要】
【発明が解決しようとする課題】
【００１０】
このような特許文献２に記載の指針にあっては、通常の指針に比べて本体部の上面に断面Ｖ字型の切れ込みからなる金属メッキ皮膜２０３を成膜することで、意匠性を高めることができ、一般の指針よりも高級感を付与できる。しかしながら、この指針本体２０１は照明部分のシャープさなどに欠けるとともに、デザイン的にも軽快感に欠け、いま一つ物足りなさが感じられる。別言すれば、指針に対して、これまでにないモダンかつユニークで一層の差別化を図られた、斬新な照明構造のものが求められている。
【００１１】
本発明は、上述した事情に鑑みてなされたものであり、その目的は、照明部分がシャープで斬新な印象を付与することができ、延いては高級化を図ることができる、デザイン性の高い指針の照明構造及びこれを備えたメータ装置を提供することにある。
【課題を解決するための手段】
【００１２】
前述した目的を達成するために、本発明に係る指針の照明構造は、下記（１）〜（３）を特徴としている。
（１）  光源からの照明光を入射する入光部が基端に設けられた指針軸、前記入光部から入射した照明光を偏向する反射面が設けられた、前記指針軸の回動軸方向略直上に配置された基部、及び、前記反射面で偏向された照明光が進行する方向に前記基部から延設された本体部を有する、透明材料で形成された指針と、
前記指針の前記基部外面に被せられるキャップと、
を備えた指針の照明構造であって、
前記本体部は、外面のうちの裏面側及び側面側に、遮光部を有し、外面のうちの表面側に、前記入光部から入射して伝搬してきた照明光が該表面側から出射する発光部を有し、
前記指針軸は、前記入光部を除く外面に、前記本体部と同一の遮光部を有する、
こと。
（２）  上記（１）の構成の指針の照明構造であって、
前記本体部の遮光部は、外面のうちの裏面側及び側面側の表面全面を覆うように設けられたメッキによって構成され、  前記指針軸の遮光部は、前記入光部を除く外面を覆うように設けられたメッキによって構成されている、
こと。
（３）  上記（１）または（２）の構成の指針の照明構造であって、
前記本体部は、外面のうちの裏面側に、凹凸形状の光散乱面を有している、
こと。
【００１３】
上記（１）の構成の指針の照明構造によれば、従来の自発光タイプのものとは異なり、指針に対して時計の秒針のようなシャープさと軽快さを呈することができるだけでなく、照明光を先端まで反射効率良く伝搬できる。別言すれば、指針に対して、モダーンで斬新な照明を行わせることが可能になる。
しかも、指針を細幅形状とする分、キャップも小さなサイズのものが適用可能となり、指針用照明を消灯させた場合でも、デザイン性の高い、高級感をもたらす指針が実現できる。
上記（２）の構成の指針の照明構造によれば、さらに、遮光部を金属調の遮光膜で構成することによって、指針用の照明が消灯しているときにも、メタリックで豪華な色調の指針を実現可能となる。
上記（３）の構成の指針の照明構造によれば、拡散処理を施すことで、指針の本体部の先端まで全長に亘って発光照明の均一化を図ることができ、本体部の先端まで均一な輝度で照明を施すことが可能となる。これにより、視認者の目に高輝度な状態で照明光が直接入射して目に刺激を与える、といったことを回避できる。
【発明の効果】
【００１４】
本発明の指針の照明構造によれば、時計の秒針のようなシャープさと軽快さを呈することができる指針に対して、照明光を先端まで反射効率良く伝搬できる。別言すれば、指針に対して、モダーンで斬新な照明を行わせることが可能になる。しかも、指針を細幅形状とする分、キャップも小さなサイズのものが適用可能となり、指針用照明を消灯させた場合でも、デザイン性の高い、高級感をもたらす指針が実現できる。
【００１５】
以上、本発明について簡潔に説明した。更に、以下に説明される発明を実施するための形態を添付の図面を参照して通読することにより、本発明の詳細は更に明確化されるであろう。
【図面の簡単な説明】
【００１６】
【図１】本発明の第１の実施形態に係る指針の照明構造が適用されたメータ装置を示す断面図である。
【図２】本発明の第１の実施形態に係る指針の照明構造が適用されたメータ装置の指針を示す図であって、図２（Ａ）は斜視図であり、図２（Ｂ）は平面図であり、図２（Ｃ）は図１のＩＩＣ−ＩＩＣ線の矢視断面図である。
【図３】図３（Ａ）は図１に示すメータ装置の指針におけるα部の拡大断面図、図３（Ｂ）はそのα部における照明光の光路図である。
【図４】図２（Ｃ）のγ部における拡大断面図である。
【図５】図１に示すメータ装置におけるβ部の拡大断面図である。
【図６】本発明の第２の実施形態に係る指針の照明構造が適用されたメータ装置の指針を示す図であって、図６（Ａ）は斜視図であり、図６（Ｂ）は平面図であり、図６（Ｃ）は図６（Ｂ）のＶＩＣ−ＶＩＣ線の矢視断面図である。
【図７】本発明の第３の実施形態に係る指針の照明構造が適用されたメータ装置の指針を示す図であって、図７（Ａ）は斜視図であり、図７（Ｂ）は平面図であり、図７（Ｃ）は図７（Ｂ）のＶＩＩＣ−ＶＩＩＣ線矢視断面図である。
【図８】従来の指針を有するメータ装置を示す断面図である。
【図９】図９（Ａ）及び図９（Ｂ）は、それぞれ、従来の他の指針を示す斜視図及び断面図である。
【発明を実施するための形態】
【００１７】
以下、本発明の実施形態について、添付図面を参照しながら詳細に説明する。
（第１の実施形態）
図１は、本発明に係る第１の実施形態の指針の照明構造が適用されたメータ装置１０を示すものである。このメータ装置１０は、基板１の上に実装された光源２と、モータケース３に収められた図示外のモータの駆動力が伝達されて回転する回転軸４と、回転軸４の先端部に嵌合され、回転軸４と一体となって回動する指針６Ａと、指針６Ａの基部６２に被せられたキャップ７と、数字、文字、記号など、車自体或いは車周辺の環境などに関する必要情報を表示する文字板５と、を有する。
【００１８】
本実施形態のメータ装置１０は、コンビネーションメータの一部を構成しており、図示外の見返し板で周囲を覆われている。また、文字板５には、メータ装置１０を含む各種計器類を設置するための各種表示窓を開口させている。
【００１９】
なお、本実施形態のメータ装置１０は、速度計を構成しており、図示しないセンサによって検出された速度に対応したセンサ信号に基づき、指針６Ａを所定角度だけ回動させ、文字板５に形成された特定の目盛を指し示す。
【００２０】
本実施形態の光源２は、回転軸４の下端部へ向けて光（以下、「照明光」とよぶ）を入射させるものであり、所定波長（λ）の可視光を出射する例えばＬＥＤ（Light Emitting Diode；発光ダイオード）で構成される。この光源２では、出射する照明光に、位相角度の方向依存性のない、均一な出射特性のものが使用される。即ち、本実施形態の光源２では、水平面（Ｘ−Ｙ平面）方向に関しては３６０度全周に亘り、略均一な光量を回転軸４へ出射する光量分布特性を有する。なお、本実施形態の光源２としては、特にこのＬＥＤに限定されるものではないが、消費電力が少なく小型の点光源であるものが好ましい。
【００２１】
モータケース３には、内部に、いずれも図示しないが、モータ、中間ギア、出力ギアのほかに、回転軸４を備えている。モータは、指針６Ａを回動させるためのものであり、中間ギア及び出力ギアを介して減速させて回転軸４を回転させることにより、文字板５の表面に沿って指針６Ａを確実に回動させ、必要な各種情報を正確に指し示す。
【００２２】
回転軸４は、上述したように、モータからの駆動力が伝達されて回転するものであって、透光材料で形成された略円柱形状を有するもので構成される。回転軸４は、先端部である上端部側が、指針６Ａの指針軸６１の後述する筒穴６４に嵌合された状態で挿入される。また、指針軸６１の筒穴６４に回転軸４が嵌合されることによって、指針６Ａが回転軸４の軸心を中心にして回動する。なお、この回転軸４は、文字板５の裏面側、図１では下面側に設置される。
【００２３】
また、回転軸４は、図１に示すように、基端部である下端部がモータケース３に設けた下部軸受け３Ａに回転自在に軸支されているとともに、先端部である上端部がモータケース３に設けた上部軸受け３Ｂに回転自在に軸支されている。一方、この回転軸４の下端面には、光源２が正対している。
【００２４】
このように、回転軸４の下端面は、光源２の直上に位置するように設けられており、光源２からの照明光が入射すると、照明光は回転軸４の内部を案内されて上端部へ伝搬していく。このため、回転軸４では、この内部の、外周面での外界（空気）との界面部分において、上述の照明光の大部分が全反射しながら上端部まで進行するように構成される。即ち、本実施形態では、回転軸４内部の、外周面における外界との界面部分での全反射現象を効率的に発生させるために、外周面に対して入射角度が、照明光の固有波長に対応した所定の臨界角を常時上回るような方向で入射させるように構成される。本実施形態では、回転軸４の下端面は中心部から周縁部に向けて断面円弧状に形成される。
【００２５】
文字板５は、必要最小限の大きさに開口した軸孔５１に、後述する指針６Ａの指針軸６１を回転自在の状態で貫通させている。
【００２６】
指針６Ａは、回転軸４と一体になり、後述する基部６２を回転の中心として、文字板５の表面に沿って回動することで、文字板５に設けてある数字或いは目盛を指示する。本発明の指針６Ａは、外形が、時計の秒針のようなシャープな細さと薄さを備えている。また、細幅な全長の先端まで照明光を確実に伝搬させることができるようになっており、全長に亘り軽快で斬新な発光照明を行うことができる。しかも、指針６Ａは、この指針用の照明光が消灯しているときにも、視認者へモダーンで豪華なメタリック調の印象を与えることができ、高級感をもたらすことができるようになる。さらに、この指針６Ａは、全長に亘って細幅形状を呈するので、その分、キャップ７も小さなサイズのものが適用でき、見栄えが良く意匠性の高いメータ装置１０が実現できる。以下、指針６Ａの構造について詳述する。
【００２７】
指針６Ａは、適宜の透明樹脂材料（透明部Ｔ）で形成されている。指針６Ａは、回転軸４と一体に連結され、指針６Ａの回動軸の中心となる指針軸６１と、この指針軸６１の回動軸略直上に配置された基部６２と、この基部６２から離れる方向に延設された本体部６３とを備えている。
【００２８】
このうち、指針軸６１は、光源２からの照明光を入射する入光部を基端に設けられている。本実施形態の入光部は、基端部分が略中空円筒状に開口された筒穴６４で構成されている。指針軸６１の筒穴６４は、回転軸４の上端部が所定深さまで圧入されるようになっている。天井面６４Ａは、図３に示すように、下方の開口に向けて突出した、凸レンズ機能を有する凸面を構成しており、ここへ入射する照明光を後述する基部６２の反射面６２Ａに向けて収束させる。なお、指針軸６１の外周面には、入光部を除く外面に、後述する遮光部Ｓが形成されており、また、指針軸６１自身は、透過性の高い透明部Ｔによって形成されている。
【００２９】
基部６２には、図３（Ｂ）に示すように、指針軸６１のほぼ直上に配置した入光部から入射した照明光を反射して本体部６３の先端に向けて進行するように偏向させる反射面６２Ａが設けられている。基部６２は、外周面に後述する遮光部Ｓが形成されており、基部６２自身は、透過性の高い透明部Ｔによって形成されている。
【００３０】
本体部６３は、反射面６２Ａで反射後に偏向された照明光が進行する先端に向けて基部６２から長尺状に延設され、基部６２と一体に形成されれている。本体部６３は、延設された全長に亘り、略薄肉細幅形状に形成されており、時計の秒針のようなシャープで切れのある形状を呈している。このような細幅形状を有することで、基部６２に被せるキャップ７についても、小型化特に細幅化を図ることができる。
【００３１】
本実施形態の本体部６３は、図２（Ｃ）に示すように、視認者が視認する上（Ｚ）方向に向けて上面が幾分拡開する断面形状に形成されており、左右（−Ｙ／＋Ｙ）両側面と裏面である下面の全面かつ全長（Ｘ）に亘って遮光部Ｓが形成されている。本実施形態の遮光部Ｓは、透明部Ｔとしての本体部６３における左右両側面と裏面である下面の全面かつ全長に亘ってメッキ処理することで、メタリックなメッキ層として成膜されている。
【００３２】
さらに、特に本実施形態の本体部６３は、図２（Ｂ）、（Ｃ）に示すように、上面の全長（Ｘ）に亘り、左右両側面に沿った両縁部を除く中央部のみに、遮光部Ｓが形成されている。このようにして、本体部６３は、上面のうち左右両側面に沿った両縁部の全長（Ｘ）に亘って透明部Ｔを一対露出させることで、線状にシャープな発光照明を行う発光部Ｌを形成している。
【００３３】
また、本体部６３は、下面に適宜の加工処理、例えば微細な凹凸６３Ａ（図２（Ａ）及び図４参照）を施したシボ加工などの拡散処理を多数施すことで、多くの反射を起こさせるようにしてある。特に本実施形態の凹凸処理は、図２（Ａ）、図２（Ｃ）及び図５に示すように、各凹凸６３ＡをそれぞれＹ−Ｚ面に平行に形成することで、これら各凹凸６３Ａに入射する照明光をこれに直交するＸ方向に散乱させ、本体部６３の先端まで効果的に伝搬させる。
【００３４】
このように、本体部６３では、特に上面の遮光部Ｓ及び下面の凹凸６３Ａを形成することで、図５に示すように、基部６２に伝搬してきた照明光をこれら双方の間で反射させながら先端まで効果的に伝搬できる。従って、本体部６３を薄肉形状に形成しても、つまり、照明光の透過量が削減されても、先端まで十分な光量の照明光を効果的に伝搬できるようになるわけである。即ち、細幅形状である本体部６３は、薄肉形状に形成できるので、時計の秒針のようなシャープでスマートな形状に形成しても、先端まで十分に発光照明させることができる。
【００３５】
なお、本実施形態では、指針６Ａに対して、プラスチック樹脂に対して無電解メッキを施すことで、非透光性膜からなるメタリックな遮光部Ｓを構成している。なお、この遮光部Ｓとしては、これ以外に、例えばアルミニウムや銀膜を成膜させた金属反射膜で構成することで、メタリックな遮光部を構成してもよい。また、この遮光部を照明光の固有波長（λ）に対して１００％近い反射機能を有する誘電体多層膜を蒸着させたり、各種塗装やホットスタンプで構成してもよい。
【００３６】
このように、本実施形態の指針６Ａは、回転軸４からここに入射する照明光の多くが凹凸６３Ａで散乱されることで輝度の均一化を図り、視認者の目に照明光が高輝度状態で直接差し込むのを回避できる。また、本体部６３の全長に亘り、上面を除く３面をこれらの外面から遮光部Ｓでとり囲んでいるので、これら３面の途中で漏光せず、照明光が上面の一部に形成した発光部Ｌのみから上方の視認者に向けて出射して効率的に発光照明させることができる。
【００３７】
キャップ７は、回転軸４内を案内される光源２からの照明光が指針６Ａの指針軸６１及び基部６２をそのまま透過して上方外部へ漏光するのを回避させるため、遮光性を有する適宜の材料で形成される。キャップ７は、指針６Ａの回動中心、つまり基部６２に、基部６２外面を覆うとともに、少なくとも文字板５の軸孔５１を覆うことができるような状態で被せる。これにより、基部６２上面から外部へ照明光が透過するのを防止するとともに、指針軸６１が貫通する文字板５の軸孔５１から照明光が漏光する虞がある場合に、これが視認者の目に直接入射するのを防止する。
【００３８】
次に、本実施形態に係るメータ装置１０の作用について、図面を参照しながら説明する。
なお、ここでのメータ装置１０の説明については、各計器類のうちスピードメータを例に挙げてその作用を説明するが、特にこれに限定されるものではなく、他のアナログタイプのメータ装置などの場合であっても同様である。
【００３９】
メータ装置１０を搭載した車両が動き始めると、モータケース３の内部に設けたモータが、図示しない速度センサによって速度検出され現在速度に応じて出力されるセンサ信号に基づき、回転駆動を開始する。これにより、速度に応じて指針６Ａが所定角度だけ回動し、文字板５に形成された特定の目盛又は数字を指示する。
【００４０】
即ち、図示外のモータによる駆動力で、回転軸４が速度に合わせた角速度で回転する。これによって、回転軸４の上端部に一体に嵌合された指針軸６１を介して指針６Ａが回動され、指針６Ａの先で文字板５上の特定の目盛又は数字を指し示す。これにより、現在速度を運転者などにアナログ表示させて知らせることができる。
【００４１】
このような速度表示を行うメータ装置１０にあっては、指針６Ａによる速度表示と同時に、光源２から出射した照明光が、回転軸４内部の、外周面における外界との界面で全反射を起こしながら上方へ進行する伝搬現象を繰り返す。この照明光が、回転軸４の上端部に達すると、指針軸６１に案内され、その大部分が天井面６４Ａからこの直上の反射面６２Ａまで進行する。
【００４２】
そして、この照明光は、反射面６２Ａである斜面で内部反射される。これにより、基部６２内部で進行光路がほぼ９０度偏向された照明光は、大部分の照明光が、本体部６３に向かうような光路をたどる。そして、専ら、本体部６３上面の遮光部Ｓ及び下面の凹凸６３Ａの間で繰り返し反射されながら先端に向けて進行するとともに、下面の凹凸６３Ａに入射して散乱されることで、輝度が抑えられて発光照明する。
【００４３】
従って、本実施形態によれば、指針６Ａを視認する運転者などには、高輝度で刺激の強い照明光が目に差し込まなくて済み、目への疲労などが抑制される。しかも、これと同時に、全長に亘り細幅な対をなす発光部Ｌを窓口としてシャープで斬新な発光照明を行うことができる。
【００４４】
また、本体部６３には、微細な凹凸６３Ａ（図２（Ａ）及び図４参照）をＹ−Ｚ面に平行に多数施したことで、多数の散乱を起こさせるようにしてあるので、これら各凹凸６３Ａに入射する照明光をこれに直交するＸ方向に散乱させることができる。その結果、本体部６３が薄肉形状であっても、本体部６３の先端まで十分何光量の照明光を先端まで効果的に伝搬できる。
【００４５】
このように、指針６Ａは、本体部６３が時計の秒針のようなシャープな細さと薄さを備えており、細幅で薄い本体部６３の先端まで照明光を確実に伝搬できるようになっており、全長に亘りシャープで斬新な発光照明を行うことができる。しかも、指針６Ａは、金属調のメッキを施した遮光部Ｓを上面にライン状に設けたので、この指針用の照明光が消灯しているときには、指針６Ａに対してモダーンで豪華なメタリック調の印象を与えることができるとともに、シャープで高級感のある外観を得ることができるようになる。
【００４６】
（第２の実施形態）
次に、本発明に係る第２の実施形態について、図６を参照しながら詳細に説明する。なお、本実施形態において、第１の実施形態と同一部分には同一符号を付して、重複説明を避ける。
【００４７】
図６は第２の実施形態の指針の照明構造が適用されたメータ装置の指針６Ｂを示すものである。指針６Ｂが第１の実施形態の指針６Ａと異なる点は、本体部６３の上面に形成する遮光部Ｓが、全長方向に沿った中央部ではなく両側縁部に沿って形成されている点である。従って、本体部６３上面の中央部全長に亘って発光部Ｌが形成され、第１の実施形態の指針６Ａと同様に、シャープで切れがよい斬新な発光照明が行える。
【００４８】
また、指針６Ｂでも、上述のように、本体部６３上面の全長に沿って両側縁部に遮光部Ｓを設けたので、照明光が消灯しているときに、指針６Ｂに対しシャープかつモダンで豪華なメタリック調の印象を与えることができ、高級感も同時にもたらすことができる。
【００４９】
（第３の実施形態）
次に、本発明に係る第３の実施形態について、図７を参照しながら詳細に説明する。なお、本実施形態においても、第１、２の実施形態と同一部分には同一符号を付して、重複説明を避ける。
【００５０】
図７は第３の実施形態の指針の照明構造が適用されメータ装置の指針６Ｃを示すものである。指針６Ｃが第１の実施形態の指針６Ａ及び第２の実施形態の指針６Ｂと異なる点は、本体部６３の上面に遮光部Ｓが形成されていない点である。即ち、指針６Ｃは、本体部６３上面の全長方向に沿って透明部Ｔが全て露出して発光部Ｌを構成している。これにより第１の実施形態の指針６Ａ及び第２の実施形態の指針６Ｂに比べると若干シャープさには欠けるが、本体部６３の全長に亘って明確な棒状の発光動作を得られ、斬新な発光照明が行える。
【００５１】
また、指針６Ｃでも、照明光が消灯しているときに、本体部６３両側面の全長に沿って設けた遮光部Ｓが外部から視認できるので、指針６Ｃに対しシャープかつモダーンで豪華なメタリック調の印象を与えることができ、高級感も同時にもたらすことができる。
【００５２】
なお、本発明は上述した実施形態に何ら限定されるものではなく、その要旨を逸脱しない範囲において種々の形態で実施し得るものである。
【００５３】
また、本実施形態のメータ装置の照明構造では速度計を構成しているが、これに限定されるものではなく、燃料計部、タコメータ部、及び水温計等の各種計器類に適用可能である。
【符号の説明】
【００５４】
１０  メータ装置
１  基板
２  光源
３  モータケース
３Ａ  下部軸受け
３Ｂ  上部軸受け
４  回転軸
５  文字板
５１  軸孔
６Ａ，６Ｂ，６Ｃ  指針
６１  指針軸
６２  基部
６２Ａ  反射面
６３  本体部
６３Ａ  凹凸
６４  筒穴（入光部）
６４Ａ  天井面
７  キャップ
Ｌ  発光部
Ｓ  遮光部
Ｔ  透明部
【図１】
0005938174.tif 000002
【図２】
0005938174.tif 000003
【図３】
0005938174.tif 000004
【図４】
0005938174.tif 000005
【図５】
0005938174.tif 000006
【図６】
0005938174.tif 000007
【図７】
0005938174.tif 000008
【図８】
0005938174.tif 000009
【図９】
0005938174.tif 000010